(57)【要約】【課題】透明プラスチック製袋体にタグ使用等となる多数本の荷札付き封緘具を束ね状に収容し、袋体底部の取出し口部より封緘具群の１本ごとの抜き取リを可能とする。【解決手段】上端に荷札付き封緘具の収容口２を配し、下端縁に１枚の荷札幅をもつミシン目等よりなる破線４が付く荷札取出し口部５を設けた透明プラスチック製袋体１を形成し、この袋体１内に荷札１３とバンド主部９よりなる封緘具７を多数本、荷札位置が下向きに重ね状態で収容すると共に、袋体１の上位外周に嵌めるゴム輪等の束ね部材６にて袋内の荷札付き封緘具１４の締付バンド部１０を間接把持するようにし、荷札取出し口部５より荷札付き封緘具１４を１枚毎に抜き取る。【選択図】      図１
0003127976.tif 000002
【実用新案登録請求の範囲】
【請求項１】
係止粒等の係止段部を多数配列する締付バンド部及びその基方に前記係止段部を挿通係合するロック部を設けたプラスチック製封緘具本体と、その末端部に荷札が取付く荷札係合部を連設してなる荷札付き封緘具において、上端に前記荷札付き封緘具を挿入する収容口を設け下端縁に少なくとも荷札幅をもつミシン目等の破線が付く荷札取出し口部を配設する透明プラスチック製袋体を形成し、該袋体に多数本の荷札付き封緘具を仮束ね状に荷札位置が下向きの重ね状態で収容すると共に、袋体の上位外周に嵌める束ね部材で袋内の封緘具群の締付バンド部を間接把持するユニット構成とし、前記破線の切り放ちにて袋内の荷札を１枚毎に締付バンド部側と一緒に抜き取る荷札付き封緘具用収納袋。
【請求項２】
収納される荷札付き封緘具は、大径の係止粒よりなる係止段部と、小径の軸状バンド主部が連続した封緘具本体の締付バンド部と、その基端部に前記係止段部とバンド主部が挿通される中空のテーパー型ロック部及びその末端の荷札係合部に荷札が取り付けられた請求項１記載の荷札付き封緘具用収納袋。
【考案の詳細な説明】
【技術分野】
【０００１】
本考案はタグ付き商品や物流品の仕分け部材等の所謂荷札付き封緘具の使用にあって、効率的な取扱いが可能な荷札付き封緘具用収納袋に関するものである。
【背景技術】
【０００２】
一般に、販売品に付けるブランドタグ、プライスタグや、物流品に付ける仕分け用荷札などの表示部材となる所謂荷札付き封緘具としては各種タイプのものが知られている。例えば、特開平９−３１５４５８号公報や特開２００５−６７７２０号公報等が挙げられる。この場合、何れにしても荷札付き封緘具の取付作業は、該封緘具を１本あてとして持ち、この締付バンド部を被取付品に対して巻付け、挿入等により所定係合手段にて係止するものである。
【０００３】
即ち、特開平９−３１５４５８号公報の封緘具では、その基部側の荷札を配したラッチ付きの細幅バンド部端を、バンド基端部に突設したロック部材に挿通し、該ロック部材の挿通孔に付けた係止爪に前記ラッチの係止段部を係合して止める。このときのバンドの挿通は、バンド挿入方向に対してのみ可能になり、逆移行はできないバンド構造となっている。また、特開２００５−６７７２０号公報の封緘具は、帯状バンド主部が大，小形部(ロック部材)の連続形成である細帯構成で、該帯状バンド部基端に設けた係止頭部にバンド主部を挿通させ、係止頭部のロック部内の可撓爪が前記小形部に弾発的に落ち込んで係合し、この落ち込み位置の選定でバンド締めにする。なお、普通は締付バンド部末端に表示部を配す構成をとる。
【特許文献１】特開平９−３１５４５８号公報
【特許文献２】特開２００５−６７７２０号公報
【考案の開示】
【考案が解決しようとする課題】
【０００４】
しかし、従来型の荷札(タグ)付き封緘具は、前記した様に所定長さをもつバンド部とそのバンド基端に形成した固定部に表示部(荷札部)を配す組合せ構成をとる関係上、該封緘具の取付けに際しては、１本、１本をその都度掴みながら所定のセット作業を行わねばならず面倒であり、作業の能率化を考慮した荷札付き封緘具としては今だ問題を残すものとなっている。
【０００５】
即ち、多数個の商品や物流品に対するプライス表示や受荷表示となる荷札付き封緘具を取付けるには、普通は能率化を鑑み多数本の封緘具を、その細紐状のバンド部を片方の手で一挙に束ねる様に掴み、掴んだ手をその都度緩めながら束ねられた封緘具群中より１本、１本を抜出し、その抜き取った封緘具を、商品や物流品に対し適宜係合させるなどして取付けている。しかし、実際の封緘具の取付けに当たっては、片方の手にて多数本の封緘具群を絶えず束ね状に掴み把持して行うことが多く、このため、片手のみで前記締付バンド部をロック部に挿嵌する等の細かいバンド締め作業をするには容易でなく、往々にして封緘具群を掴む側の手を適宜添えることもある。このとき、封緘具群の掴み状態に緩みが生じ易く、この封緘具群を不用意に落下させてしまうこともあり、該封緘具を拾うなどの余計な作業も追加され、逆にセット作業の能率低下にもなり、結果的に熟練を要す作業となる。
【０００６】
特に、封緘具の表示部材が荷札のように比較的大きな面積をもつ紙仕様では、該荷札自体に折筋等の損傷を与え易く、取扱いが一層面倒になり、この点からも熟練した作業が求められる。従って、荷札付き封緘具にあって、経験のない者でもセット作業が能率的に行える手段の開発が待たれている。
【０００７】
ここで、本考案は上記実情に鑑み、多数本の荷札付き封緘具群を直接手で握らず袋詰め式の間接把持となる様に、所定袋体に封緘具群を収容し且つ袋外周の束ね部材で間接把持状態にし、この袋底部の荷札取出し口部より荷札を１枚単位として抜き出すことで、上記課題を解決する荷札付き封緘具用収納袋を提供するものである。
【課題を解決するための手段】
【０００８】
本考案は、係止粒等の係止段部を多数配列する締付バンド部及びその基方に前記係止段部を挿通係合するロック部を設けたプラスチック製封緘具本体と、その末端部に荷札が取付く荷札係合部を連設してなる荷札付き封緘具において、上端に前記荷札付き封緘具を挿入する収容口を設け下端縁に少なくとも荷札幅をもつミシン目等の破線を形成した荷札取出し口部を配設する透明プラスチック製袋体を形成し、該袋体に多数本の荷札付き封緘具を仮束ね状に荷札位置が下向きに収容とすると共に、袋体の上位外周に嵌めるゴム輪等の束ね部材で袋内の封緘具群の締付バンド部を間接把持する構成とし、前記破線の切り放ちにて袋内の荷札を１枚毎に締付バンド部側と一緒に抜き取るものである。
【０００９】
この様に、荷札付き封緘具用収納袋は、上端に収容口を、下端縁にミシン目等による切放ちできる荷札取出し口部を設けた薄地の透明プラスチック製袋体にし、これに係止粒等の係止段部を配列した締付バンド部とロック部及び末端に荷札用の荷札係合部を配した荷札付き封緘具を、適宜本数この荷札位置を下向きに収容し、該袋体の上位外周に嵌めるゴム輪等の伸縮型束ね部材で袋内の封緘具群の締付バンド部を間接把持することで、多数本の荷札付き封緘具を直接手で握らなくとも袋体を間接的に持つことで把持し得る。このとき、袋内の荷札付き封緘具群は、上方になる締付バンド部が袋上位外周に嵌めるゴム輪等の束ね部材で伸縮自在に間接把持されて封緘具群が整列された袋収納となり、且つ袋体上端の収容口も束ね部材にて同時に閉じられる。
【００１０】
ここで、袋内の単一の荷札付き封緘具を取出し、被取付品ヘの荷札付けに際しては、先ず袋体を単に持つだけでユニット構成された多数本の荷札付き封緘具が一挙に把持される。この後袋体下端縁のミシン目等の破線を指先等で切除けば荷札取出し口部が簡単に形成され、切り放された弧状の切込み口から荷札が覗け、且つ袋体自体も薄地透明袋で封緘具全体の収容状況も外観から一瞥できる。袋内の封緘具を１本あてに抜き取る場合、荷札取出し口部は少なくとも１枚の荷札幅をもつため、該荷札取出し口部に臨む荷札を指等にて１枚だけを選り出して引抜けばよい。このとき、荷札上部に一体の締付バンド部側は、袋部材を介す外周に嵌めるゴム輪等の束ね部材で緩い間接把持を呈すので、該締付バンド部群の係止段部同士に絡みがあっても適宜緩んで円滑な取り出しを得る。
【００１１】
袋体より抜き取った１本の荷札付き封緘具を販売商品や物流品等の被取付品に付ける場合、残る多数本の封緘具群はあくまでも袋内にユニット状に収納されているので、該封緘具群の掴み等を気にすることなく単一の封緘具に対する取付作業をすればよい。即ち、長尺の締付バンド部を被取付品に巻付け，差し込み等にて係合状とし、該締付バンド部の先端側を基端のロック部の挿通孔に挿入するだけで、該ロック部はスリット付きで挿入方向に抗し押し開き自在になっているため、締付バンド部の大径粒部や小径段部の通過も容易になる。所定のバンド締めになったとき、バンド挿入を止めればスリットの両縁部である爪部分が部材弾発に起因して閉じ状になリ、小径のバンド主部に落ち込み止まる。
【００１２】
この場合、透明袋体に収容の荷札付き封緘具群は、例えば、５０枚単位ぐらいに纏まった数の収容ができ、該封緘具群はあくまでも袋体外周に嵌めるゴム輪等の束ね部材にて締付バンド部を間接把持しているので、１本の封緘具を抜いた後の残る袋内の多数本の荷札付き封緘具群も整頓された状態で収納されており、バラけることがない。
【考案の効果】
【００１３】
本考案の荷札付き封緘具用収納袋は、上端に収容口を、下端縁にミシン目等の荷札取出し口部用の破線を配す透明プラスチック製袋体とし、この袋内に係止段部を多数配列した締付バンド部と該バンド部を通挿するロック部及び末端に荷札が付く荷札係合部を形成してなる締付具群を、荷札位置が下向きに収容し、且つ袋体上位に嵌めるゴム輪等の束ね部材で前記締付バンド部群を間接把持するユニット構成にするので、被取付品への封緘具の取付けに際し、従来の如くに多数本を一挙に直接握ることなく、単に袋体側を持つだけで袋内でユニット化された封緘具群の実質的な把握ができ、握りミス等に起因する封緘具の落下も招かない。このため、締付バンド部をロック部に通す等の面倒なセット作業にあって握った側の手を添えることも可能で、便利になる。しかも、袋体ヘの封緘具群の収容は荷札を下向きの重ね状として入れるため、該封緘具群を、従来予期し得ない例えば５０枚等の多数枚単位の収容もでき、この点からも荷札付け作業の能率が向上する。
【００１４】
また、締付バンド部群の間接束ねを、袋体外周に嵌めるゴム輪等の伸縮自在な束ね部材で行うため、該締付バンド部自体の形状が大径の係止粒(係止段部)と小径のバンド主部の連続であって、束ね時に係止粒同士の絡みが生じても、荷札の下方引っ張りが加われば袋体束ね部分が適宜伸び広がリ簡単に絡みが崩れ、１本あての締付バンド部として荷札と共に引き抜かれ荷札取出し口部より排出し得る。また、袋体自体は透明プラスチック製なので袋内の荷札付き封緘具の収納状況が一瞥し得るため、表示が異なる荷札の収容及び袋内での選び出しも可能になり、荷札付き封緘具の取り扱いが容易になる。
【００１５】
更に，この袋体下端縁の荷札取出し口部は、１枚の荷札幅をもつ構成で、使用時以外は取出し口部が閉じた状態にあるため、荷札が紙部材でも保管時に生じ易い汚損等も招かず、保管，ユニット搬送等も容易となる。
【考案を実施するための最良の形態】
【００１６】
以下、本考案の荷札付き封緘具用収納袋を実施例の図に基づいて説明すれば、次の通りである。
図１乃至図７は束ね部材がゴム輪使用にした荷札付き封緘具用収納袋の実施例を示し、１はポリエチレン、塩化ビニール等よりなる所定形状の透明プラスチック製の薄地袋体であり、該袋体１の構成は、上端１ａに広幅の封緘具用収容口2を設け、下端１ｂに設けたシール底縁３に少なくとも１枚の荷札幅をもつミシン目等よりなる切取り用の破線4を円弧状に付け、該破線４の切り放ちで荷札取出し口部5が形成される。6は袋体１の上位外周に嵌める適宜径をもつゴム輪等よりなる束ね部材である。
【００１７】
図４において、７は大径の係止粒８ａ等の係止段部８と小径の軸状バンド主部９が連続した封緘具本体となる締付バンド部１０と、その基端部に前記係止段部８とバンド主部９が挿通される中空の横向きテーパー型ロック部１１及びその末端に荷札が取付く公知の雌雄嵌合となる荷札係合部１２を一体形成したプラスチック製封緘具である。１３は所定形状を呈す紙製荷札であり、該荷札１３の上部中央に設けた支持孔１３ａに、前記封緘具端の荷札係合部１２を嵌合して取付ける。
【００１８】
次にこの作用を説明すると、先ず荷札付き封緘具１４を形成するには、封緘具７の末端にある荷札係合部1２を、その基端ヒンジ部を基点に対向する挾持部１２ａ，１２ｂを開いて荷札１３の支持孔１３ａの両側より挟む様に位置せしめ、双方に付けた係合凸部１２ｃと係合凹部１２ｄを雌雄係合して固定し（図６参照）、荷札付き封緘具１４とする。
【００１９】
ここで、荷札付き封緘具１４を適宜本数(例えば、５０本単位等に)を掴んで袋体１に収容口２より仮束ねの状態として入れる。この後、袋体１の上位外周にゴム輪の束ね部材６を数輪に重ねて嵌めれば、袋上位部分が絞られ袋部材を介し内部の封緘具１４の締付バンド部１０群が間接把持されたユニット構成になる。同時に袋体１の上方の収容口２も閉じられる。勿論、袋体１の大きさは、荷札付き封緘具１４群が余裕を以って収納できる形状とする。
【００２０】
ここで、商品や物流品などの被取付品(図示せず)に対する荷札付き封緘具１４の取付けに際し、予め袋体１の下端縁に付いたミシン目等の破線４を指などで引き千切れば荷札取出し口部５が簡単に形成される。この荷札取出し口部５の形状は切り込みの円弧状を呈するので、重なる荷札１３群の一部が袋内より露出し覗ける状態になる。
【００２１】
ここにおいて、袋体１の下端縁に臨む荷札１３群を、指等で１枚あてに選び出すことも可能であり、その荷札１３を下方に引っ張れば該荷札１３とこれに一体の封緘具本体１０も連続して繰出される。このとき、仮に締付バンド部１０群のバンド主部９の係止粒８ａ同志が絡み係合の状態にあっても、束ね部材６がゴム輪の如きに伸縮自在なため間接把持された束ね部分が適宜伸び広がることで対応し、係止粒８ａ群の絡みがずれ崩れ、荷札付き封緘具１４が円滑に引っ張り出せる。
【００２２】
この抜き取った１本の荷札付き封緘具１４を被取付品に装着するには、腰のある棒状を呈す締付バンド部１０を被取付品の適宜個所に巻付けや挿通等にて配置し、この状態で締付バンド部１０の尖端部分を基端部に設けた横向きのテーパー状ロック部１１に、その大径側の挿入孔１１ａから挿入すれば小径側であるスリット部１１ｂを適宜押し広げながら挿入孔１１ａ´より突出して挿通する（図５参照）。この締付バンド部１０の主部が被取付品に対しセット状態になったときに挿入を止めれば、この時点でロック部１１のスリット部１１ｂの広がりがプラスチック部材に起因する弾発で狭まり、周囲の爪部１１ｃが小径のバンド主部９に入り込みロックされる。尚、締付バンド部１０は係止粒８ａが挿入側を小径にしたテーパー構造を呈すため、逆方向には戻らない。
【図面の簡単な説明】
【００２３】
【図１】本考案の荷札付き封緘具用収納袋の実施例を示す斜視図である。
【図２】同袋体の正面図である。
【図３】同袋体下端縁の破線を切取り、荷札取出し口部を設けた説明図である。
【図４】荷札付き封緘具の説明図である。
【図５】同封緘具のロック部を示す説明で、(Ａ)は小径側の側面図で、(Ｂ)は一部切り欠き正面図で、(Ｃ)は大径側の側面図である。
【図６】同荷札係合部の説明で、(Ａ)は正面図で、(Ｂ)は挾持部を開いた説明図である。
【図７】ゴム輪よりなる束ね部材の説明図である。
【符号の説明】
【００２４】
１    透明プラスチック製袋体
１ａ    上端
１ｂ    下端縁
２    封緘具用収容口
４    ミシン目等の破線
５    荷札取出し口部
６    ゴム輪等の束ね部材
７    封緘具
８    係止段部
９    バンド主部
１０    締付バンド部
１３    荷札
１４    荷札付き封緘具
【図１】
0003127976.tif 000003
【図２】
0003127976.tif 000004
【図３】
0003127976.tif 000005
【図４】
0003127976.tif 000006
【図５】
0003127976.tif 000007
【図６】
0003127976.tif 000008
【図７】
0003127976.tif 000009